(57)【要約】  【課題】従来の頸部コルセットは締め付けて固定する為息苦しく、さらに調整範囲が少なく、外観からも目立ち又病状の完治後は不要となる問題があった。これは患部を固定して症状が回復するまで保護する治療目的としてのみの器具の為である。  【解決手段】顎固定部及び、半円弧状に形成された胸元より、肩からうなじへと荷重の支持部との一本物からなる可塑性材料で形成した上下中空フレームにおいて、前記両部フレームに緩衝器を顎下の正面及び左、右側面に設けた。これにより個別に可動出来、弾力を調節して様々な体型や体勢にフィットし又、頸部の当接面を薄地にして本体に衣服生地で縫製した被覆を設け、外観からもファッション性を有し目立たなくした頸部用コルセットを提供するとともに、別用途として腰部に装備した時は腰部コルセットになり、頭部に装備した時は帽子に流用することが出来る。【選択図】  図５
2013141516.tif 000002
【特許請求の範囲】
【請求項１】
１本の可塑性線材を屈曲させて上下向かい合う様にＵ字形に形成して連結させ、顎から後頭部に当接される上部フレームと、胸元から肩に当接される下部フレームから成るフレームにおいて、前記両部フレーム間の顎下正面及び、左右側面の各面に１つ以上緩衝器を設けた多用途型固定器具主に頸部固定器具。
【請求項２】
前記下部のフレームは、胸元で半円弧状の張り出しを特徴とする請求項１に記載の多用途型固定器具主に頸部固定器具。
【請求項３】
前記緩衝器は可撓性材料を二重に有し、それぞれ一方の片端を上部又は下部フレームに結束材で結合させ、向かい合う面に調整部材を設けた請求項１と２に記載の多用途型固定器具主に頸部固定器具。
【請求項４】
フレームの縦横方向に、フレームの素材より高い剛性の可塑性線材から成るフレーム補強材を設けた請求項１〜３の何れかに記載の多用途型固定器具主に頸部固定器具。
【請求項５】
前記下部フレーム及び下部フレーム補強材以外の顎に当接する部分に、薄地で伸縮性に富む布地で縫製し、脱着部材を有した保護材を設けた請求項１〜４の何れかに記載の多用途型固定器具主に頸部固定器具。
【請求項６】
前記保護材を補強する為、フレームのＵ字形開放部両端に縫合した帯状の面ファスナーを設けた請求項１〜５の何れかに記載の多用途型固定器具主に頸部固定器具。
【請求項７】
前記本発明の外側面又は、下部フレーム下端とＵ字形開放部を内側面に包み込み、前記の包み込んだ裏地に脱着部材を有し、柔靭な布地で縫製した帯状からなる被覆を設けた請求項１〜６の何れかに記載の多用途型固定器具主に頸部固定器具。
【請求項８】
前記Ｕ字形開放部の被覆と縫合させた右端からなる外帯は、先鋭に引伸ばした形状をしており、左端からなる内帯を後方で包み込み、外帯の先端部と内帯の外側面にサイズ調整部材を設けた請求項１〜７の何れかに記載の多用途型固定器具主に頸部固定器具。
【請求項９】
前記本発明は頸部に装着した際ネックウォーマーになる事を特徴とした請求項１〜８の何れかに記載の多用途型固定器具主に頸部固定器具。
【請求項１０】
前記本発明は腰部に装着した際、緩衝器を有した腰部用コルセットになる事を特徴とした請求項１〜９の何れかに記載多用途型固定器具主に頸部固定器具。
【請求項１１】
前記帯状の面ファスナーを流用し腰部用サイズ調整部材になる事を特徴とした請求項１〜１０の何れかに記載多用途型固定器具主に頸部固定器具。
【請求項１２】
前記本発明は頭部に着用した際、帽子になる事を特徴とした請求項１〜１１の何れかに記載多用途型固定器具主に頸部固定器具。
【発明の詳細な説明】
【技術分野】
【０００１】
本発明は、頸椎骨折や鞭打ち症を患った人等の症状が完治するまで保護する為の固定器具を改良しファッション性があり目立たなく、多用途に使用出来る固定器具主に頸部固定器具に関する。
【背景技術】
【０００２】
従来、布又は樹脂及び柔軟で通気性のあるエアーバック等で構成（特許文献１参照）した固定器具は既製品のコルセットを用いて、頸椎周りの関節や筋肉に負担をかけない様に締め付けて固定し、頸椎骨折や鞭打ち症を患った人の症状が完治するまで保護する為の器具であった。
【先行技術文献】
【特許文献】
【０００３】
【特許文献１】特開２００６−１９７９５３号公報
【発明の概要】
【発明が解決しようとする課題】
【０００４】
以上に述べた従来の既製品コルセットでは、損傷による前屈や側屈した際の頭部傾斜角度から生ずる隙間のぐらつきは不安定であった。
【０００５】
しかも、機能本位であり飾り気のない形姿の為、外観から剥き出しとなり接客、外出時など人前に出る時は気恥ずかしいものであった。
【０００６】
さらに、既製品頸部コルセットは治療が完治すると無用なものとなり、別の用途としての転用が出来なかった。本発明は、このような従来の構成が有していた問題を解決しようとするものであり第１〜第３の課題からなる。
【０００７】
第１の課題として、頭部傾斜角度によるコルセットの隙間からくるぐらつきを改善し、様々な体型に合わせてしっかり固定出来、
【０００８】
第２の課題として外観からもファッション性を有して目立たなく、
【０００９】
第３の課題として別の用途として転用する為の固定器具を実現することを目的とするものである。
【課題を解決するための手段】
【００１０】
そして、本発明は上記の目的を達成する為に、第１の課題解決手段として１本の可塑性線材を屈曲させて上下向かい合う様にＵ字形に形成して連結させ、顎から後頭部に当接される上部フレームと、胸元から肩に当接される下部フレームから成るフレームにおいて、前記両部フレーム間の顎下正面及び、左右側面の各面に１つ以上緩衝器を設けたものである。
【００１１】
前記下部のフレームは、胸元で半円弧状の張り出しを有したものである。
【００１２】
前記緩衝器は可撓性材料を二重に有し、それぞれ一方の片端を上部又は下部フレームに結束材で結合させ、向かい合う面に調整部材を設けたものである。
【００１３】
前記フレームの縦横方向に、フレームの素材より高い剛性の可塑性線材から成る補強材を設けたものである。
【００１４】
前記本発明に、前記下部フレーム及び下部フレーム補強材以外の顎に当接する部分に、薄地で伸縮性に富む布地で縫製し、脱着部材を有した保護材を設けたものである。
【００１５】
前記保護材を補強する為、フレームのＵ字形開放部両端に縫合した帯状の面ファスナーを設けたものである。
【００１６】
第２の課題解決手段として、前記本発明の外側面又は、下部フレーム下端とＵ字形開放部を内側面に包み込み、前記の包み込んだ裏地に脱着部材を有し、柔靭な布地で縫製した帯状からなる被覆を設けたものである。
【００１７】
前記Ｕ字形開放部の被覆と縫合させた右端から成る外帯は、先鋭に引伸ばした形状をしており、左端からなる内帯を後方で包み込み、外帯の先端部と内帯の外側面にサイズ調整部材を設けたものである。
【００１８】
前記本発明は頸部に装着した際ネックウォーマーになるものである。
【００１９】
第３の課題解決手段として、前記本発明は腰部に装着した際、緩衝器を有した腰部用コルセットになるものである。
【００２０】
前記本発明は腰部に装着した際、緩衝器を有した腰部用コルセットになるものである。
【００２１】
前記本発明は頭部に着用した際、帽子になるものである。
【００２２】
上記第１の課題解決手段による作用は次の通りである。すなわち柔軟であり変形出来、形が作りやすい部材を使用し、さまざまな体型合わせて適応するフレームは、顎から後頭部にかけて身体に沿って通り顎を固定する為の上部と、うなじから肩を通り、胸元で半円弧状の張り出しがある、頭部の荷重を支持する下部が一連して形成しており、フレームの形状は前方より頸部を包み込み、後方のうなじで開放するＵ字形をしており、後部フレームを両端に開閉させる事により伸縮して調節出来、様々な頸部の太さにも適応し又、前記胸元にある半円弧状の張り出しによって頭部の荷重を広範囲に分散し支持出来る為、固定が安定する効果がある。
【００２３】
上部と下部のフレーム間は、顎下の正面及び顎下以外の左右側面が中空になっており、その各面に一つ以上の緩衝器を結合した。前記緩衝器は、柔軟で屈曲する部材を二重に使用し、それぞれ一方の片端を支持部又は固定部フレームに結束材で結合し、向かい合う面に調整部材を張り付ける事によりフレーム間の長さや弾力の調節を可能とした。そのため、頭部傾斜角度によるコルセットの隙間からくるぐらつきをなくし、上部フレームからの頭部の荷重をクッションの様に吸収する事も出来る。
【００２４】
又、フレームを補強する為に前記フレームに使用した素材よりも高い剛性があり、少なからず変形し形を保持する事が出来る材料を使用したフレーム補強材で、フレーム間の縦や横方向に結合させ過度な伸縮や屈曲によって変形するフレームの抑制と保護材を補強する為に、向かい合う両面に面ファスナーを縫い合わせた帯状の補強材を使用して、破損を防止する事が出来る。
【００２５】
伸縮性に富んだ布地で縫製した保護材は、上部の顎から後頭部までの皮膚と当接するフレーム及び、緩衝器、結束材、補強材、帯状の面ファスナーを包み込んだ。この事により、本発明の構成部材が接触する凹凸による痛みをなくして固定する事が出来又、頸部と皮膚が接触する内側面の裏地に向かい合う面に脱着部材を縫い合わせ、取り外しが可能になり汚れたら洗濯することが出来る。
【００２６】
第２の課題解決手段による作用は、フレームと併せて固定する為に、柔軟でなおかつ引っ張りに強い布地で縫製し、胸元の半円弧状を下端に加えた帯状からなる被覆を、本発明の外側面又はうなじ及び下部フレームの下端を包み込み、前記包み込んで二重となる向かい合う裏地に脱着部材を縫い合わせ、保護材同様に汚れたら洗濯出来る様にし、さらに、異なる色彩やデザインのカバーと交換してファッションを楽しめ、ネックウォーマーとしても使用でき外観からも目立たなく出来る。
【００２７】
被覆の右端をうなじで包み込んだ被覆と縫い合わせ、先鋭に引伸ばした形状の外帯は、左端の内帯を躯体後方で包み込んで、外帯の先端部と内帯の外側面にサイズが調節出来る様にサイズ調整部材を縫い合わせ設けた。この為、前記後部フレームを両端に開閉する事により程よい頸部の太さに調節し、被覆によりしっかりと固定出来る。
【００２８】
第３の課題解決手段による作用は、腰部に装着した際は、緩衝器の備えた腰部固定器具用になり、前記下部フレームの張り出しを流用し支持部を骨盤設け、上半身の荷重による腰への衝撃を吸収する事が出来又、上半身の傾斜角度に合わせる事でしっかり固定出来る。さらに、前記保護材の帯状の面ファスナーを流用し、腰部用サイズ調節部材となり保護材の内部から取り出して使用する事により、頸部固定器具の外帯よりもかなり長くなる為腰回りでも調節可能である。
【００２９】
頭部に着用した際は、前記下部の張り出しを流用しひさし部を設けた日よけ用帽子となり、ファッションとしても楽しむ事が出来る。
【発明の効果】
【００３０】
上述したように本発明の多用途型固定器具主に頸部固定器具は、変形が可能なフレームにより様々な体型に適応する事が可能であり。上部フレームを顎の形状に合わせる事で、保護材の上端で頭部の荷重を受け止め、頸部に空間ができ圧迫しない為に息苦しくない頸部固定器具を提供出来る。
【００３１】
Ｕ字形を設けた為、後部フレームの両端に開閉する事により伸縮し様々な頸部の太さに程よく調節し固定が出来、被覆によってさらにしっかり固定する護持の高い頸部固定器具を提供出来る。
【００３２】
また、個別に可動する緩衝器の為、頸椎骨折や鞭打ち等による前屈や側屈した際の頭部傾斜角度を調節が出来、さらに密着性の良い頸部固定器具を提供出来る。
【００３３】
胸元にある半円弧状の張り出しによって頭部の荷重を広範囲に分散し支持する事が可能な為、うなじ及び肩にかかる負担を軽減する頸部固定器具を提供出来る。
【００３４】
患者の症状回復に合わせて緩衝器の弾力を調節することが出来、弾力を弱めてのリハビリ又は、強めてのストレッチ等も可能な頸部固定器具を提供出来る。
【００３５】
治療以外でも、長時間同一姿勢を要するデスクワーク、読書、テレビ・映画鑑賞、勉学等によって起こる首痛や、疲労による集中力の低下等、身体的や精神的苦痛のストレスを軽減する頸部コルセットを提供出来る。
【００３６】
被覆とコルセットの保護材は取り外して洗濯出来清潔に保てる又、異なる色彩やデザインのカバーと交換してファッションを楽しめる頸部固定器具を提供出来る。
【００３７】
下部の張り出し形状を流用し、襟元部のあるネックウォーマーになり、上着を羽織った際は外観からも目立たなくなる頸部コルセットを提供出来る。
【００３８】
腰部に装備した際は下部の張り出しを流用し、支持部を骨盤に設けた腰部固定器具になり、骨盤の広範囲に上半身の荷重を分散出来る。さらに緩衝器によって上半身の傾斜角度に合わせた弾力の調節及び、変形可能フレームと相まって様々な体型に適応し、隙間がなくしっかりとした固定と衝撃の暖和が可能な腰部固定器具を提供出来る。
【００３９】
頭部に装備した際は下部の張り出しを流用し、ひさし部を設けた日よけ用帽子になり、ファッションとして又は、持ち運びの際は嵩張らず手荷物とならない日よけ用帽子を提供出来る。
【図面の簡単な説明】
【００４０】
【図１】本発明の実施形態を示す多用途型固定器具主に頸部固定器具の正面部分断面図
【図２】多用途型固定器具主に頸部固定器具の図５における人体記載図
【図３】多用途型固定器具主に頸部固定器具の平面図
【図４】多用途型固定器具主に頸部固定器具の平面部分断面図
【図５】多用途型固定器具主に頸部固定器具の図３におけるＡ―Ａ断面図
【図６】多用途型固定器具主に頸部固定器具の図２におけるＢ―Ｂ断面図
【図７】多用途型固定器具主に頸部固定器具の図４における正面緩衝器の詳細図
【図８】多用途型固定器具主に頸部固定器具の保護材展開図
【図９】多用途型固定器具主に頸部固定器具の図４における保護材詳細図
【図１０】多用途型固定器具主に頸部固定器具の被覆展開図
【図１１】多用途型固定器具主に頸部固定器具の頸部固定器具装着図
【図１２】多用途型固定器具主に頸部固定器具の腰部固定器具装着図
【図１３】多用途型固定器具主に頸部固定器具の腰部固定器具腹部装着図
【図１４】多用途型固定器具主に頸部固定器具の日よけ用帽子装着図
【発明を実施するための形態】
【００４１】
以下、本発明の実施の形態を図１〜図１２に基づいて説明する。
【００４２】
図においては、１は（以下フレーム）で可塑性がある例えばアルミニウム、銅等の素材に軟質なポリエチレンや塩化ビニル等の樹脂材で覆った線材が良い。図５において顎から後頭部まで通り顎を固定する上部１Ａと、うなじから肩を通り、胸元で半円弧状の張り出し１Ｃを有し荷重を支持する下部１Ｂが、連結していて図２の様に人体形状に合わせて形成する。フレームの形状は前方の胸元より頸部を包み込み、後方のうなじで開放する形態の、図３の様に平面形状がＵ字型形状をしている。
【００４３】
図５の様に上部１Ａと下部１Ｂのフレーム間は、正面及び左、右側面が中空になっており、その各面に１つ以上の緩衝器３を結合する。複数緩衝器３を設けても良い。前記緩衝器３は、頭部の荷重がかかりやすい正面は大きくし、柔軟で屈曲する部材を図６や図７の様に内側部３Ａと外側部３Ｂに可撓性があるプラスチック板を二重に有し、それぞれ一方の片端を上部１Ａ又は下部フレーム１Ｂ、１Ｃにステンレス線材やナイロン製タイラップ（トーマス・アンド・ベッツ登録商標）等の結束材４で固定し、向かい合う面に面ファスナー調整部材３Ｃを張り付けてフレーム間の長さや弾力の調節を出来る。
【００４４】
又、フレーム補強材２のフレームに使用した素材よりも高い剛性があり、変形し形を保持する事が出来る線材例えば横方向２Ａはアルミニウム合金、ステンレス線材等を使用して左右の補強をし、縦方向２Ｂはステンレス線材やピアノ線等を使用してフレームと横方向２Ａの上下間を繋ぎ、一定の間隔を保つ事によって補強し、過度な伸縮や屈曲によって変形するフレームの抑制及び前記緩衝器３構成部材、保護材６が破損する事を防止する。さらに、図４の様に帯状の面ファスナー５は長い帯状からなり、Ｕ字形の開放部両端に先端を縫い合わせ、図１や図５の様にフレーム補強材２に近接しなおかつフレームを囲み込む様に向かい合わせて結合し、保護材を固定するとともに、さらに剛性を持たせ補強が出来る。
【００４５】
図８の折り線６Ｆの様な三つ折り状で伸縮性に富んだ布地は、例えばナイロンやガーゼ等で縫製した保護材６を、上部１Ａの顎から後頭部までの皮膚と当接するフレーム及び、緩衝器３、結束材４、フレーム補強部材２、帯状の面ファスナー５を図９の様に包み込み、本発明の構成部材が接触する凹凸による痛みをなくして固定する事が出来る又、頸部と皮膚が接触する内側面６Ａの裏地になる内部面６Ｃに向かい合うように面ファスナー脱着部材６Ｇを縫い合わせ、汚れたら洗濯も出来るように取り外し出来る。
【００４６】
本発明に柔らかく強い布地、例えばタオル地やデニム等の布地で縫製し、胸元の半円弧状１Ｃを下端に加えた帯状からなる被覆７を、外側面又はうなじ及び下部フレームの下端を包み込み、図１０のうなじ及び下部下端の二重となった向かい合う裏地７Ｃにスナップ等の脱着部材８Ｃを縫い合わせ、保護材６同様に汚れたら洗濯出来るようにし又、下部の張り出し１Ｃを流用して図１１の頸部固定器具装着図の様にネックウォーマーとなる。
【００４７】
図３の様に被覆７の右端をうなじの包み込んだ被覆７と縫い合わせ先鋭に引伸ばした形状の外帯７Ａは、左端の内帯７Ｂを躯体後方で包み込み、外帯７Ａは図１０の様に先端部８Ａに例えば輪状にしたゴム紐と内帯７Ｂの外側面にサイズが調節出来る様に、例えばボタンや面ファスナー等のサイズ調整部材８Ｂを縫い合わせ設けた。
【００４８】
図１２の様に腰部に装着した際は、緩衝器３の備えた腰部用固定器具になり、張り出し１Ｃを流用し骨盤に当接する支持部を設け、上記帯状の面ファスナー５を流用し、腰部用サイズ調節部材となり、保護材６を展開させ面ファスナーの脱着部材６Ｇにより外し内部から左右からなる帯状の面ファスナー５を図１３の様に両脇から腹部に当接させて調節し固定する事により、頸部固定器具の被覆７のサイズ調整部材８Ｂでは短くて足りない腰回りでも十分調節出来る。
【００４９】
図１４の様に頭部に装備した際は支持部の張り出し１Ｃを流用し、ひさし部を設けた日よけ用帽子になる。
【００５０】
以下、上記構成の動作を説明する。図２の様に顎の上部１Ａのフレーム及び、保護材の上端で頭部の荷重を受け止め、緩衝器３を通り下部１Ｂのフレームに荷重が伝達される。このとき、緩衝器３の可撓性があるプラスチック板が屈曲させ荷重を吸収し反発の弾力により頭部を保持する事が出来る。又、頸椎骨折や頸椎脱臼による頭部傾斜角度の調節は、緩衝器３の面ファスナーの調整部材３Ｃを外し、頭部が傾き伸びた首筋に合わせて上部１Ａのフレームを持ち上げて変形させて位置を決め、面ファスナーの調整部材３Ｃを固定する。同様に、縮んだ首筋もしっかり固定させる事により護持出来る。
【００５１】
保護材６を上部１Ａに取り付ける際は、図８の様に内側面６Ａ、外側面６Ｂ、内部面６Ｃの三つ折り状からなり、Ｔ型切り込み部６Ｄの有した内部面６Ｃを図１の様に、フレーム補強材２と、帯状の面ファスナー５の隙間に差し込み、Ｔ型切り込み部６Ｄを正面緩衝器３及び切り込み部６Ｅを両側面緩衝器３にはめ、内側に入っている内部面６Ｃを上方に折り曲げ、外側にある外側面６Ｂ、内側面６Ａをともに上方に向けて立たせて外側面６Ｂをフレーム形状になじませ、内側面６Ａがフレームを包むように内側に折り曲げて面ファスナー脱着部材６Ｇで固定する。これにより部材が接触する凹凸による痛みをなくす事が出来又、汚れたら洗濯する様に取り外しが可能である。
【００５２】
図１１の様に頸部に装備する際は、Ｕ字形に開放したうなじのフレーム及び被覆の外帯７Ａと内帯７Ｂとを併せて外側に広げ、前方より頸部を包囲しフレームを頸部、顎の形状に押さえてしっかりとフィットさせ、後部で外帯７Ａを内帯７Ｂに包み込み、外帯７Ａ先端の輪状ゴム紐８Ａを内帯７Ｂの外側面に等間隔に設けたボタンから最適な締め付け具合のボタンに引っ掛けて固定する事によってしっかりと護持出来る。
【００５３】
図１２の様に腰部に装着する際は、本発明から被覆７を外し保護材６の内側面６Ａと外側面６Ｂを展開し帯状の面ファスナー５を剥がしてフレームの後方へ伸ばし、前記被覆７と保護材６を元に戻して、Ｕ字形に開放したうなじのフレーム及び外帯７Ａと内帯７Ｂとを併せて十分に外側に広げ、張り出し１Ｃを下にして後方より腰部と両脇を包み込み、腰部と骨盤の形状に合わせてフレームを両手でしっかり押さえフィットさせる。この時、必要に応じて緩衝器３の面ファスナー３Ｃにより調節して骨盤に合わせる事も出来、図１３の様に両脇より帯状の面ファスナー５が腹部を取り巻きサイズの調節をして固定する。この時、外帯７Ａがだらりと下がる為、先端の輪状ゴム紐８Ａを流用して外帯７側の帯状の面ファスナー５を、輪状ゴム紐８Ａの輪の中を通すことによって固定されて体裁良く使用出来、緩衝器によって上半身の傾斜角度に合わせた弾力の調節及び、変形が可能なフレームと相まって様々な体型に適応し、隙間がなくしっかりとした固定と衝撃の暖和が可能な腰部固定器具となる。
【００５４】
日よけ用の帽子として頭部に着用する際は、前記頸部に装備する時と同様である。以上の様に、頸部固定器具以外に多用途に使用出来るものである。
【符号の説明】
【００５５】
１  フレーム
１Ａ  上部
１Ｂ  下部
１Ｃ  張り出し
２  フレーム補強材
２Ａ  横方向
２Ｂ  縦方向
３  緩衝器
３Ａ  内側部
３Ｂ  外側部
３Ｃ  調整部材（面ファスナー）
４  結束材
５  帯状の面ファスナー
６  保護材
６Ａ  内側面
６Ｂ  外側面
６Ｃ  内部面
６Ｄ  Ｔ型切り込み部
６Ｅ  切り込み
６Ｆ  折り線
６Ｇ  脱着部材（面ファスナー）
７  被覆
７Ａ  外帯
７Ｂ  内帯
７Ｃ  裏地
８  調整部材
８Ａ  サイズ調整部材（輪状ゴム紐）
８Ｂ  サイズ調整部材（ボタン）
８Ｃ  調整部材（スナップ）
上記（）内は例である。
【図１】
2013141516.tif 000003
【図２】
2013141516.tif 000004
【図３】
2013141516.tif 000005
【図４】
2013141516.tif 000006
【図５】
2013141516.tif 000007
【図６】
2013141516.tif 000008
【図７】
2013141516.tif 000009
【図８】
2013141516.tif 000010
【図９】
2013141516.tif 000011
【図１０】
2013141516.tif 000012
【図１１】
2013141516.tif 000013
【図１２】
2013141516.tif 000014
【図１３】
2013141516.tif 000015
【図１４】
2013141516.tif 000016